(57)【特許請求の範囲】
【請求項１】
入力される画像情報に基づく投射画像を被投射面に投射する投射レンズを移動可能に支持するレンズシフト手段と、
タッチパネルを介して入力される目標位置を取得する取得手段と、
前記レンズシフト手段による前記投射レンズの移動を制御する制御手段と、を有する投射型表示装置であって、
前記制御手段は、前記投射画像の所定位置が、前記目標位置に対応する前記被投射面上の位置へ移動するように、前記レンズシフト手段を制御する、
ことを特徴とする投射型表示装置。
【請求項２】
前記投射画像の重心位置に前記所定位置を示す第１画像を表示させる表示制御手段をさらに有する、
ことを特徴とする請求項１に記載の投射型表示装置。
【請求項３】
前記表示制御手段は、前記目標位置に対応する前記被投射面上の位置に第２画像を表示させ、前記第２画像を、前記レンズシフト手段が前記投射レンズを移動させる際に前記被投射面上で不動となるように表示制御する、
ことを特徴とする請求項２に記載の投射型表示装置。
【請求項４】
前記制御手段は、前記第１画像と前記第２画像とが重なると、前記投射レンズの移動が完了するように制御し、
前記表示制御手段は、前記レンズシフト手段による前記投射レンズの移動が完了すると、前記第１画像及び前記第２画像の表示を完了するように制御する、
ことを特徴とする請求項３に記載の投射型表示装置。
【請求項５】
前記表示制御手段は、前記投射画像の所定位置が移動可能な範囲を示す第３画像を表示させる、
ことを特徴とする請求項２乃至４のいずれか１項に記載の投射型表示装置。
【請求項６】
前記タッチパネルには、前記投射画像に対応した画像と、前記所定位置に対応する位置を示す画像と、前記目標位置を示す画像とが表示されており、
前記表示制御手段は、前記タッチパネルの表示状態と対応するように前記被投射面上の表示状態を制御する、
ことを特徴とする請求項２乃至５のいずれか１項に記載の投射型表示装置。
【請求項７】
前記タッチパネルは、前記投射型表示装置に一体に設けられている、
ことを特徴とする請求項１乃至６のいずれか１項に記載の投射型表示装置。
【請求項８】
前記タッチパネルは、前記投射型表示装置に前記タッチパネルからの信号を送信可能な電子機器に設けられており、
前記投射型表示装置は、前記電子機器からの信号を取得可能であることを特徴とする請求項１乃至７のいずれか１項に記載の投射型表示装置。
【請求項９】
前記取得手段は、現在の投射レンズの位置で投射される前記投射画像の所定位置に対応する位置が表示された前記タッチパネルを介して前記目標位置を取得する、
ことを特徴とする請求項１乃至８のいずれか１項に記載の投射型表示装置。
【請求項１０】
前記制御手段は、前記投射画像の所定位置が、前記目標位置に対応する前記被投射面上の位置へ移動するように、前記レンズシフト手段を制御した後に、前記タッチパネルに表示された第４の画像を介して受け付けた移動指示に基づいて、前記投射画像が画素単位で移動するように前記レンズシフト手段を制御する、
ことを特徴とする請求項１乃至９のいずれか１項に記載の投射型表示装置。
【請求項１１】
入力された画像情報に基づく投射画像を被投射面に投射する投射レンズを移動可能に支持するレンズシフト手段と、
前記被投射面上に対する目標位置を指示するジェスチャーを検知するジェスチャー検知手段と、
前記レンズシフト手段による前記投射レンズの位置を制御する制御手段と、を有する投射型表示装置であって、
前記制御手段は、前記投射画像の所定位置が、前記ジェスチャー検知手段で検知された前記目標位置へ移動するように、前記レンズシフト手段を制御する、
ことを特徴とする投射型表示装置。
【請求項１２】
投射レンズの現在位置を検出する第１ステップと、
タッチ手段からの信号に基づいて、前記投射レンズの移動の終了位置を検出する第２ステップと、
前記投射レンズの現在位置から、前記投射レンズの移動の終了位置まで、前記投射レンズを移動させる第３ステップと、
前記投射レンズが、前記投射レンズの移動の終了位置に位置したかどうかを検出する第４ステップと、を備える、
ことを特徴とするレンズシフト方法。
【請求項１３】
投射レンズの現在位置を検出する第１ステップと、
ジェスチャー検知手段からの信号に基づいて、前記投射レンズの移動の終了位置を検出する第２ステップと、
前記投射レンズの現在位置から、前記投射レンズの移動の終了位置まで、前記投射レンズを移動させる第３ステップと、
前記投射レンズが、前記投射レンズの移動の終了位置に位置したかどうかを検出する第４ステップと、を備える、
ことを特徴とするレンズシフト方法。
【発明の詳細な説明】
【技術分野】
【０００１】
本発明は、投射型表示装置に関し、特にタッチパネルによるレンズシフト操作方法に関する。
【背景技術】
【０００２】
近年、プロジェクタからの画像を所望の位置に投射するために、投射レンズを移動可能に保持する、いわゆるレンズシフト機構を搭載したプロジェクタが開発されている。このようなプロジェクタを用いると、プロジェクタ本体を動かさずに、投射位置を調整することができるために、設置時の利便性を高めることができる。
【０００３】
また、レンズシフト機構によって投射位置を調整する際に、本体やリモコンに設けられた上下左右方向の十字キーを押下することにより、ユーザが意図する方向へ投射画像を移動させることが可能なプロジェクタが開発されている。しかしながら、このようなプロジェクタにおいては、投射位置の調整が完了するまで、ユーザが十字キーを操作し続ける必要があった。このような問題を解決するプロジェクタとして、特許文献１に記載された構成が知られている。
【０００４】
特許文献１では、スクリーンに投射レンズがレンズシフト可動な範囲を示すグリッド画像を表示させ、目標とする座標位置をユーザが数値入力することで、投射レンズのシフト調整を行う技術が開示されている。これにより、ユーザは目標座標を一度入力すればよく、レンズシフトが完了するまで、所定の操作をし続ける必要がなくなる。
【先行技術文献】
【特許文献】
【０００５】
【特許文献１】特開２０１０−７８９７４号号公報
【発明の概要】
【発明が解決しようとする課題】
【０００６】
しかしながら、前述の特許文献１に開示された構成では、ユーザは、まずグリッド画像の目盛を目視することで目標位置の座標を把握し、次に目標位置の水平方向の座標を入力し、最後に垂直方向の座標を入力する必要がある。
【０００７】
すなわち、ユーザはレンズシフトが完了するまで、所定の操作をし続ける必要はなくなるが、操作時間が長くなってしまうおそれがあった。
【０００８】
そこで、本発明の目的は、直感的でより短時間の操作で投射位置の調整が可能な投射型表示装置を提供することである。
【課題を解決するための手段】
【０００９】
上記目的を達成するために、本発明の投射型表示装置は、入力される画像情報に基づく投射画像を被投射面に投射する投射レンズを移動可能に支持するレンズシフト手段と、タッチパネルを介して入力される目標位置を取得する取得手段と、前記レンズシフト手段による前記投射レンズの移動を制御する制御手段と、を有する投射型表示装置であって、前記制御手段は、前記投射画像の所定位置が、前記目標位置に対応する前記被投射面上の位置へ移動するように、前記レンズシフト手段を制御する、ことを特徴とする。
【発明の効果】
【００１０】
本発明によれば、直感的でより短時間の操作で投射位置の調整が可能な投射型表示装置を提供することができる。
【図面の簡単な説明】
【００１１】
【図１】本発明の実施形態に係る投射型表示装置の構成を示す図
【図２】本発明の実施形態に係る投射型表示装置の構成を示すブロック図
【図３】本発明の第１実施例に係るレンズシフト操作を示すフローチャート
【図４】本発明の第１実施例に係るレンズシフト操作前の状態を示す図
【図５】本発明の第１実施例に係るレンズシフト操作中の状態を示す図
【図６】本発明の第１実施例に係るレンズシフト操作後の状態を示す図
【図７】本発明の第２実施例に係るレンズシフト操作を示すフローチャート
【図８】本発明の第２実施例に係るレンズシフト操作の操作部を示す図
【図９】本発明の第３実施例に係るレンズシフト操作を示す図
【図１０】本発明の第４実施例に係るレンズシフト操作を示す図
【発明を実施するための形態】
【００１２】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、構成部品の相対位置などは、この発明の範囲を以下の実施の形態に限定する趣旨で規定されたものではない。
【００１３】
〔投射型表示装置の構成の説明〕
図１を用いて、本発明の各実施例におけるプロジェクタ（投射型表示装置）αの構成を説明する。
【００１４】
１は、発光管と放物面鏡からなる光源部であり、本実施例においてはいわゆる水銀ランプである。光源部１からの光束は、不図示の偏光変換素子を介して、ダイクロイックミラーＤＭ、偏光ビームスプリッタＰＢＳ、ダイクロイックプリズムＤＰ等により構成される色分解合成光学系に入射する。なお、偏光変換素子は、光源部１が光束を出射する際に、光源部１からの無偏光光を特定の偏光方向を有する偏光光に変換するように構成されている。
【００１５】
色分解合成光学系は、入射した白色光をダイクロイックミラーＤＭおよび偏光ビームスプリッタＰＢＳによってＲ，Ｇ，Ｂの３色の光に分解して、不図示の液晶パネル（画像形成素子）に導く。
【００１６】
不図示の液晶パネルは、プロジェクタαに外部から入力された映像信号に応じた原画を形成し、映像信号に応じて液晶パネルに入射した光を変調する。液晶パネルによって変調された光である変調光は、偏光ビームスプリッタＰＢＳを介して、ダイクロイックプリズムＤＰに入射する。
【００１７】
ダイクロイックプリズムＤＰは、入射したＲＧＢ３色の変調光を合成して、投射レンズ（投射光学系）３に導く。投射レンズ３は、合成されたＲＧＢ３色の変調光をスクリーンなどの被投射面ＳＣに投射する。これにより、映像信号に対応する投射画像が被投射面ＳＣ上に表示される。すなわち、色分解合成系は、光源部１からの光束で照明される複数の液晶パネルからの光束を合成する。
【００１８】
〔第１実施例〕
図２から図６を用いて、本発明の第１実施例で示すプロジェクタ（投射型表示装置）αについて説明する。
【００１９】
図２は、プロジェクタαの構成を示すブロック図である。
【００２０】
１は、前述の光源部であり、２は、前述の図１において不図示であった液晶パネル部（光変調素子）であり、３は前述の投射レンズである。
【００２１】
４はタッチパネル部（タッチパネル）であり、タッチパネル部４は、プロジェクタαに一体に設けられており、より具体的には、プロジェクタαの天面（底面と向かい合う面）に設けられている。
【００２２】
５はタッチパネル位置検出部であり、タッチパネル部４から送られてくる信号に基づきタッチパネル上でユーザが押下した位置を検出する。
【００２３】
６はレンズシフト部（レンズシフト手段）であり、投射レンズ３を移動可能に支持する。７はレンズシフト駆動部であり、モータ等のアクチュエータにより構成され、レンズシフト部６に対して電動で駆動力を伝達する。８は、シフト位置検出部であり、本実施例においてはエンコーダである。
【００２４】
９はプロジェクタ制御部であり、パソコン等からプロジェクタαへ入力された画像情報を液晶パネル部２へ伝達する、タッチパネル位置検出部５からの信号をレンズシフト駆動部７へ伝達する等の機能を有する。言い換えれば、プロジェクタαにより投射される投射画像の画像処理、プロジェクタαにおける表示モード設定や入力切り替えなどの各種タッチパネル操作、レンズシフト駆動などは、プロジェクタ制御部９によって制御される。
【００２５】
すなわち、プロジェクタαは、プロジェクタαに入力される画像情報に基づく投射画像を、投射レンズ３を用いてスクリーンＳＣに表示するとともに、タッチパネル部４からの信号を受信可能である。
【００２６】
以上のように構成されたプロジェクタαにおけるレンズシフト操作について、図３から図６を用いて説明する。
【００２７】
図３は、レンズシフト操作を行う際のフローチャートであり、図４（ａ）および（ｂ）はそれぞれレンズシフト操作開始前の投影画像１２と、タッチパネル部４の表示状態を示す図である。
【００２８】
図５（ａ）および（ｂ）はそれぞれ目標位置１６へ移動する途中の投射画像１２と、タッチパネル部４の表示状態を示す図であり、図６（ａ）および（ｂ）はそれぞれ目標位置１６まで到達した後の投射画像１２とタッチパネル部４の表示状態を示す図である。
【００２９】
ユーザがレンズシフト操作による投射画像１２の位置調整を行う際、まず、ユーザがタッチパネル部４をタップすると、レンズシフト操作モードＳ９１が開始される。
【００３０】
レンズシフト操作モードＳ９１が開始されると、図４（ｂ）に示すように、タッチパネル部４にはレンズシフト部６の可動領域を示すシフト領域画像１０が表示される。同時に、レンズシフト部６の現在位置を示すポインタＣ２が表示される（Ｓ９２）。すなわち、ステップＳ９２（第１ステップ）は、投射レンズ３の現在位置を検出するステップである。なお、シフト領域画像１０上には、格子状の目盛を表示してユーザの視認性を向上させても良い。
【００３１】
このとき、図４（ｂ）に示すように、レンズシフト操作前のレンズシフト部６の位置１１は、ポインタＣ２と一致しており、レンズシフト部６の現在位置はシフト位置検出部８によってモニタされる。
【００３２】
一方、図４（ｂ）に対応した投射画像の動作を図４（ａ）に示す。１２は投射画像、１３はレンズシフト部６を画像移動領域１３内で移動させたときに、投射画像１２に基づく画像であるポインタＣ１（第１画像）が移動する範囲である。
【００３３】
レンズシフト操作前では、ポインタＣ１は、レンズシフト操作前の投射画像１２の重心位置１４上に表示されている。なお、本実施例においては、液晶パネル上の有効照明領域の楕円形状を考慮して、シフト領域画像１０及び画像移動領域（第３画像）１３は台形となっており、両者は互いに相似形である。これは、液晶パネル上の楕円形状の有効照明領域の重心と、投射レンズ３の光軸とが離れすぎると、有効照明領域外の画素を用いて投射画像１２を表示する必要がある。有効照明領域外は有効照明領域内と比較して、暗いために、過度にレンズシフトしすぎると、投射画像１２の隅が暗くなってしまうおそれがある。そこで、本実施例においては、シフト領域画像１０及び画像移動領域１３を台形にしている。すなわち、投射レンズ３のレンズシフト可能な範囲を制限することで、上述の投射画像１２の隅が暗くなってしまうことを抑制している。
【００３４】
もちろん、シフト領域画像１０及び画像移動領域１３は台形に限らず、例えば、長方形の四隅を面取りした形状あるいは、長方形の四隅に丸味をつけた形状等であっても良い。
【００３５】
また、画像移動領域１３上には、前述のシフト領域画像１０と同様に格子状の目盛を表示してもよい。
【００３６】
以上が、レンズシフト操作を行う前の、タッチパネル部４及びスクリーンＳＣ上の表示状態である。次に、レンズシフト操作に伴う各画像の状態の変化について図５（ａ）及び図５（ｂ）を用いて説明する。
【００３７】
ユーザは、タッチパネル部４上のシフト領域画像１０において投射画像の目標位置１５をタップし、タッチパネル位置検出部５がタップ位置を検出する（Ｓ９３）。すなわち、ステップＳ９３は、タッチパネル部４からの信号に基づいて投射レンズ３の移動の終了位置を検出する第２ステップである。
【００３８】
すなわち、タッチパネル部４に接触可能なタッチ手段とタッチパネル部４との接触が解除された位置を目標位置１５とする。なお、本実施例において、タッチ手段とはユーザの指やタッチペン等である。
【００３９】
すると、タッチパネル位置検出部５が目標位置１５の位置を検出し、プロジェクタ制御部９によってレンズシフト駆動部７のアクチュエータが駆動され、投射画像のシフト移動が開始される（Ｓ９４）。言い換えれば、レンズシフト部６は、投射レンズ３を移動可能に支持し、タッチパネル部４からの信号に基づいて投射レンズ３を移動させる。
【００４０】
図５（ｂ）に示すように、投射画像が移動している最中のタッチパネル部４には、投射画像の現在位置を示すポインタＣ２と、目標位置１５が表示される。このとき、レンズシフト部６の移動に伴ってポインタＣ２は、レンズシフト操作前のレンズシフト部６の位置１１から目標位置１５へ向かって移動する。
【００４１】
スクリーンＳＣ上では、図５（ａ）に示すように、レンズシフト操作前の投射画像１２の重心位置１４と、ポインタＣ１と、目標位置１６（第２画像）が表示される。目標位置１６は、前述のタッチパネル部４上をユーザがタップして指定した目標位置１５に対応する位置である。言い換えれば、目標位置１６は目標位置１５に基づくスクリーンＳＣ上の位置である。
【００４２】
図５（ａ）に示すように、ポインタＣ１（投射画像１２の重心位置に表示される画像）はレンズシフト部６による投射レンズ３の移動による投射画像１２の移動伴って、位置１４から目標位置１６の方向へ移動する。このとき、位置１４及び目標位置１６は不動となるように、プロジェクタ制御部９によって表示される。
【００４３】
つまり、投射画像１２は、レンズシフト部６による投射レンズ３の移動に基づいて、スクリーンＳＣ上（被投射面上）を移動する。言い換えれば、レンズシフト部６は、投射画像１２が目標位置１５に基づくスクリーンＳＣ上の目標位置１６へ移動するように、投射レンズ３を移動させる。
【００４４】
なお、液晶パネル部２からの画像光を基に、投射画像１２、ポインタＣ１、目標位置１６、画像移動領域１３等がスクリーンＳＣに表示される。すなわち、液晶パネル部２は、投射画像１２に基づくポインタＣ１と、タッチパネル部４からの信号に基づく目標位置１６を表示する表示手段である。さらに、液晶パネル部２は、ポインタＣ１が移動可能な範囲を示す画像移動領域１３を表示可能であり、ポインタＣ１及び目標位置１６は画像移動領域１３上（第３画像上）に表示される。
【００４５】
なお、画像移動領域１３を表示せずに、投射画像１２、ポインタＣ１、目標位置１６のみを表示する構成であっても良い。
【００４６】
さらに、図５（ａ）及び図５（ｂ）において、ポインタＣ１及びＣ２と目標位置１６及び１５を示すポインタの大きさ、形状、色等を異ならせることでユーザの視認性を高めるようにしても良い。例えば、本実施例において、ポインタＣ１及びＣ２は黒く塗りつぶされた円形であるが、例えば星型等にすることで、ユーザの視認性をより高めても良い。
【００４７】
さらに、レンズシフト中は、ポインタＣ１の移動方向を示す矢印４０及びポインタＣ２の移動方向を示す矢印３０を、スクリーンＳＣ上及びタッチパネル部４上に表示しても良い。
【００４８】
以上が、レンズシフト中の、タッチパネル部４及びスクリーンＳＣ上の表示状態である。次に、レンズシフト終了後の各画像の状態について図６（ａ）及び図６（ｂ）を用いて説明する。
【００４９】
レンズシフト部６の移動中は、シフト位置検出部８が投射レンズ３の位置をモニタしており、プロジェクタ制御部９が目標とするシフト位置にレンズシフト部６が到達したと判定すると、レンズシフト駆動部７のアクチュエータの駆動が停止される（Ｓ９６）。すなわち、ステップＳ９６は、投射レンズ３が、投射レンズ３の移動の終了位置に位置したかどうかを検出する第４のステップである。
【００５０】
すなわち、図６（ｂ）に示すように、タッチパネル部４において、ポインタＣ２が目標位置１５と重なると、レンズシフトが終了する。同様に、図６（ａ）に示すように、スクリーンＳＣ上においては、ポインタＣ１が目標位置１６と重なると、レンズシフトが終了する。すなわち、レンズシフト部６は、投射画像１２が目標位置１６に移動すると、投射レンズ３の移動を完了する。
【００５１】
このように、本実施例によれば、投射画像の位置を調整する際に、ユーザはタッチパネル部上で目標位置をタップする以外にレンズシフトのための操作を行う必要がない。このため、操作時間をより短くすることができる。さらに、ユーザがタップした位置をレンズシフトの目標位置とする構成により、直感的な操作が可能となる。すなわち、直感的でより短時間の操作で投射位置の調整が可能な投射型表示装置を提供することができる。
【００５２】
さらに、ユーザにとっては、一度タッチパネル部上の所望の位置をタップすれば、レンズシフトのための操作が完了する。このため、従来のように、レンズシフトが完了するまで、十字キー等を操作し続ける必要がなく、より短い操作時間であることに加えて、よりストレスを感じることなく投射画像の位置調整を行うことができる。
【００５３】
なお、本実施例におけるレンズシフト駆動部７は、投射レンズ３の光軸方向視において、レンズシフト部６を上下方向及び左右方向に同時に移動可能である。すなわち、投射レンズ３は、投射レンズ３の光軸方向視において、斜め方向に移動可能である。より具体的には、レンズシフト部６を、プロジェクタαの設置面に平行な方向及び設置面に直交する方向に同時に移動可能である。
【００５４】
これにより、プロジェクタαの設置面に平行な方向及び設置面に直交する方向に同時に移動できない場合と比較して、レンズシフト部６を最短経路で、ユーザによるタップ操作で指定される目標位置へ移動させることができる。このため、投射位置の調整時間を短縮することが可能となる。
【００５５】
さらに、本実施例は、タッチパネル部４及びスクリーンＳＣ上の双方に、投射画像の現在位置を示す画像と、目標位置を示す画像とを表示する構成である。すなわち、タッチパネル部４は、ポインタＣ１に対応した画像であるポインタＣ２と、目標位置１６に対応した画像である目標位置１５と、画像移動領域１３と相似形の画像であるシフト領域画像１０を表示可能である。なお、ポインタＣ１及び目標位置１６は必ずしもスクリーンＳＣ上に表示する必要はなく、ユーザがタップした位置をレンズシフトの目標位置とする構成であれば良い。
【００５６】
これにより、ユーザにとっては、タッチパネル部４上での自身のタッチ操作によって、スクリーンＳＣ上で実際に表示されている画像がどのように移動するのか視認しやすい。
【００５７】
〔第２実施例〕
図７は、第２実施例で示すレンズシフト操作を行う際のフローチャートであり、図８は第２実施例で示すレンズシフト操作のタッチパネル部４の表示状態を示す図である。
【００５８】
本実施例と、前述の第１実施例との違いは、シフト微調整モードＳ９６を備えている点である。
【００５９】
図７に示すように、目標位置確認ステップＳ９５までは前述の第１実施例と同様である。本実施例においては、目標位置確認ステップＳ９５が終了すると、シフト微調整モードＳ９６が開始される。
【００６０】
シフト微調整モードＳ９６が開始されると、十字キー表示ステップＳ９７によって、図８に示すように、タッチパネル部４に十字キー１７（第４の画像）が表示される。
【００６１】
十字キー１７によって上下左右へ投射画像１２の位置を調整することが可能であり、ユーザが十字キー１７を操作することで、投射画像１２の位置を微調整することが可能である。なお、例えば、ユーザが十字キー１７の上下左右方向の釦をタップすると、投射画像が１画素分移動するように設定しても良い。
【００６２】
ユーザが十字キー１７を操作すると、十字キー入力受信ステップＳ９８が開始され、次に、十字キー１７への入力信号に基づくレンズシフト移動ステップＳ９９が開始される。
【００６３】
十字キー１７に設けられた完了ボタン１８をユーザが操作すると、シフト操作モード終了ステップＳ１００によって、シフト操作モードが終了する。
【００６４】
なお、例えば、十字キー１７への入力が一定時間行われなかった場合に、レンズシフト移動ステップＳ９９からシフト操作モード終了ステップＳ１００へ移行しても良い。あるいは、図８に示すシフト領域画像１０以外の領域を、ユーザがタップすることで、シフト操作モード終了ステップＳ１００へ移行しても良い。
【００６５】
このように、本実施例においては、前述の第１実施例と比較して、より高精度に投射画像の位置を調整することが可能となる。このため、例えば、スタック投影やマルチ投影などのように、投射画像の位置を細かく調整する必要がある際に本実施例で示す構成が有効である。
【００６６】
なお、本実施で示す構成は、前述の第１実施例にシフト微調整モードＳ９６が加わっている。このため、より高精度に投射画像の位置を調整しようとすると、複数の手順を踏む必要があるために、前述の第１実施例と比較して、操作時間が長くなってしまうおそれがある。しかしながら、十字キーのみ、あるいは水平及び垂直方向の座標入力のみで投射位置の調整を行う構成と比較すると、タップ操作のみで投射位置の調整行うことができる。このため、少なくともシフト微調整モードＳ９６を行う前の投射位置の調整においては、上述の従来構成と比較して、操作時間をより短くすることが可能となる。
【００６７】
〔第３実施例〕
図９（ａ）および（ｂ）はそれぞれ、本発明の第３実施例で示すレンズシフト操作開始前の投影画像１２とタッチパネル部４の表示状態を示す図である。
【００６８】
本実施例と前述の第１実施例との違いは、タッチパネル部４がプロジェクタαに設けられているのではなく、リモコン（電子機器）１７に設けられている点である。すなわち、タッチパネル部４は、プロジェクタαにタッチパネル部４からの信号を送信可能なリモコン１７に設けられており、プロジェクタαは、リモコン１７からの信号を受信可能である。
【００６９】
なお、レンズシフト操作に伴う各画像の動作は前述の第１実施例と同様である。
【００７０】
図９（ａ）及び（ｂ）に示すように、本実施例によれば、プロジェクタαから離れた位置でリモコン１７を操作することにより、投射画像１２の位置調整を行うことができる。
【００７１】
ユーザが、プロジェクタを机上以外の天井や机の下といった場所に配置する場合もある。このような場所にプロジェクタαを配置した場合、タッチパネル部４がプロジェクタαと一体に設けられていると、ユーザがタッチパネル部４を操作することが困難になるおそれがある。
【００７２】
そこで、本実施例で示す構成のように、タッチパネル部４がリモコン１７に設けられていると、天井や机の下といった直接ユーザが操作しにくい場所にプロジェクタαを設置しても、投射画像１２の位置を調整することが可能となる。すなわち、本実施例で示す構成は、前述の第１実施例及び第２実施例で示す構成よりも、設置の自由度を向上させることができる。
【００７３】
さらに、タッチパネル部４をプロジェクタαに設ける必要がないために、前述の第１実施例及び第２実施例で示す構成よりも、より簡易な構成の投射型表示装置を提供することができる。具体的には、光源部１からタッチパネル部４へ伝わる熱の影響を低減するための構成を用いる必要の無い、より簡易な構成である。
【００７４】
もちろん、本実施例のように、タッチパネル部４がプロジェクタαに設けられていない場合であっても、より短時間で投射位置の調整が可能な投射型表示装置を提供することができる。
【００７５】
なお、リモコン１７はパソコン、タブレット端末、スマートフォン等のタッチパネルを備える電子機器等であっても良い。リモコン１７がこのような電子機器の場合には、専用のアプリケーションによって、タブレット端末やスマートフォン端末とプロジェクタαとの間で通信することで、投射画像１２の位置調整を行う構成であっても良い。
【００７６】
〔第４実施例〕
図１０は本発明の第４実施例で示す、レンズシフト操作開始前の投射画像の表示状態を示す図である。
【００７７】
本実施例と前述の第１実施例との違いは、タッチパネル部４の代わりに、ジェスチャー検知手段である光検出器２０を備えている点である。すなわち、本実施例におけるプロジェクタαは、光検出器（ジェスチャー検知手段）２０からの信号を受信可能である。
【００７８】
投射画像１２の位置を調整するために、前述の第１実施例においては、タッチパネル部４をユーザがタップすることで、目標位置１６を決定していた。一方、本実施例においては、スクリーンＳＣ上でユーザがタップした位置が目標位置１６となる。
【００７９】
つまり、スクリーンＳＣに接触可能なジェスチャー手段とスクリーンＳＣとの接触が解除された位置を目標位置１６とする。このとき、レンズシフト部６は投射画像１２が目標位置１６へ移動するように、投射レンズ３を移動させる。さらに、レンズシフト部６は投射画像１２が目標位置１６に移動すると、投射レンズ３の移動を完了する。
【００８０】
より具体的には、投射画像１２の重心位置に表示されるポインタＣ１と目標位置１６に表示されるポイントとが重なると、レンズシフト部６は、投射レンズ３の移動を完了する。なお、本実施例において、ジェスチャー手段とは、ユーザの指やタッチペン等である。
【００８１】
スクリーンＳＣ上でユーザがタップした位置を検出するために、光検出器２０は、ユーザのジェスチャーを撮影して、スクリーンＳＣ上でユーザがタップした位置を検出するカメラを備えていても良い。さらに、光検出器２０は、ユーザの指などからの反射光を検出して、スクリーンＳＣ上でユーザがタップした位置を検出するセンサを備えていても良い。
【００８２】
このように、本実施例によれば、スクリーンＳＣ上でユーザがタップした位置を目標位置１６とすることができるために、直感的でより短時間の操作で投射位置の調整が可能な投射型表示装置を提供することが可能となる。
【００８３】
さらに、前述の実施例と比較して、本実施例によれば、ユーザは投射画像１２により近い場所で、投射画像１２の位置の調整を行うことができるために、より直感的な操作を行うことが可能となる。
【００８４】
なお、光検出器２０は、プロジェクタαと一体に設けられている必要はなく、例えば、天井等に固定されていても良い。さらに、スクリーンＳＣは被投射面であれば、壁面上の所望の領域であっても白色のスクリーン等であっても良い。
【００８５】
〔他の実施形態〕
前述した実施例では、タッチパネル部４あるいはスクリーンＳＣ上でユーザがタップした位置を目標位置１６とする構成を例示したが、本発明はこれに限定されるものではない。より短い操作時間で投射位置の調整が可能な投射型表示装置であれば、例えば、ユーザが描いた円形の重心を目標位置１６とする構成等であっても良い。さらに、レンズシフト操作前の位置１１を始端、目標位置１５を終端としたユーザによるスワイプ動作に基づいて目標位置１６を決定する等の構成であっても良い。
【００８６】
なお、ユーザによるスワイプ動作に基づいて目標位置１６を決定する構成においては、ユーザによるスワイプ動作の速度に合わせてレンズシフトを行う必要は無い。例えば、ユーザによるスワイプ動作の軌跡を記録し、ユーザによるスワイプ動作の完了後に、記録した軌跡に則ったレンズシフトを行うことで、より短い操作時間で投射位置の調整が可能となる。
【００８７】
また、前述した実施例では、投射画像１２の位置を示す画像として、投射画像１２の重心にポインタＣ１を表示する構成を例示したが、本発明はこれに限定されるものではない。より短い操作時間で投射位置の調整が可能な投射型表示装置であれば、例えば、投射画像１２の重心ではなく、投射画像１２の角、辺等を投射画像１２の位置を示す画像とする構成であっても良い。さらに、投射画像１２の近傍に表示され、投射画像１２との相対的な位置関係を維持する画像を、投射画像１２の位置を示す画像とする構成であっても良い。さらに、投射画像１２と相似形の枠等の画像を投射画像１２の位置を示す画像とする構成であっても良い。
【００８８】
また、液晶パネル部２は、レンズシフト部６による投射レンズ３の移動が完了すると、ポインタＣ１及び目標位置１６の表示を完了しても良い。
【符号の説明】
【００８９】
３  投射レンズ
４  タッチパネル部（タッチパネル）
６  レンズシフト部（レンズシフト手段）
１２  投射画像
１５  目標位置
α  プロジェクタ（投射型表示装置）
ＳＣ  スクリーン（被投射面）
【図１】
0006415176.tif 000002
【図２】
0006415176.tif 000003
【図３】
0006415176.tif 000004
【図４】
0006415176.tif 000005
【図５】
0006415176.tif 000006
【図６】
0006415176.tif 000007
【図７】
0006415176.tif 000008
【図８】
0006415176.tif 000009
【図９】
0006415176.tif 000010
【図１０】
0006415176.tif 000011